【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
時分割複信（ＴＤＤ）フレームにおいて２つ以上の回線のためのタイムスロットを管理するための方法であって、
前記２つ以上の回線のすべてに関して前記ＴＤＤフレームの通常動作部分のためのタイムスロットの数を構成することと、
前記２つ以上の回線のうちの第１の回線に関する前記通常動作部分の後の、前記ＴＤＤフレーム内の沈黙シンボルのためのタイムスロットの第１の数とデータシンボルのためのタイムスロットの第２の数とを構成することと、
前記２つ以上の回線のうちの第２の回線に関する前記通常動作部分の後の、前記ＴＤＤフレーム内の沈黙シンボルのためのタイムスロットの第３の数とデータシンボルのためのタイムスロットの第４の数とを構成することと、ここにおいて、前記第１の数および前記第２の数のうちの一方または両方が、前記第３の数および前記第４の数とそれぞれ異なる、
配信点ユニット（ＤＰＵ）内の前記２つ以上の回線に関連するトランシーバに、タイムスロットの前記数と、沈黙シンボルのためのタイムスロットの前記第１の数と、データシンボルのためのタイムスロットの前記第２の数と、沈黙シンボルのためのタイムスロットの前記第３の数と、データシンボルのためのタイムスロットの前記第４の数とを送信することと、
を備える、方法。
【請求項２】
前記ＴＤＤフレームの前記通常動作部分の間に前記２つ以上の回線のすべてのベクトル化を実行することをさらに備える請求項１に記載の方法。
【請求項３】
沈黙シンボルのためのタイムスロットの前記第１の数、データシンボルのためのタイムスロットの前記第２の数、沈黙シンボルのためのタイムスロットの前記第３の数、およびデータシンボルのためのタイムスロットの前記第４の数の構成に従って、前記ＴＤＤフレームの前記通常動作部分の後に、前記２つ以上の回線のうちのいくつかだけのベクトル化を実行することをさらに備える請求項２に記載の方法。
【請求項４】
前記２つ以上の回線に結合されたダウンストリームのトランシーバに、タイムスロットの前記数と、前記第１の、前記第２の、前記第３の、および前記第４の数とを送信することをさらに含み、タイムスロットの前記第１の数は沈黙シンボルのためのものであり、タイムスロットの前記第２の数はデータシンボルのためのものであり、タイムスロットの前記第３の数は沈黙シンボルのためのものであり、タイムスロットの前記第４の数はデータシンボルのためのものである、請求項１に記載の方法。
【請求項５】
前記ＤＰＵのトランシーバおよびダウンストリームのトランシーバが、Ｇ．ｆａｓｔに従ってＴＤＤ通信を実装する請求項１に記載の方法。
【請求項６】
ダウンストリームのトランシーバに、タイムスロットの前記数と、沈黙シンボルのためのタイムスロットの前記第１の数と、データシンボルのためのタイムスロットの前記第２の数と、沈黙シンボルのためのタイムスロットの前記第３の数と、データシンボルのためのタイムスロットの前記第４の数とを送信することが、Ｇ．ｆａｓｔによって規定されたロバスト管理チャネル（ＲＭＣ）を使用することを含む請求項５に記載の方法。
【請求項７】
時分割複信（ＴＤＤ）フレームにおいて２つ以上の回線のためのタイムスロットを管理するためのシステムであって、
前記２つ以上の回線のすべてに関して前記ＴＤＤフレームの通常動作部分のためのタイムスロットの数を構成することと、
前記２つ以上の回線のうちの第１の回線に関する前記通常動作部分の後の、前記ＴＤＤフレーム内の沈黙シンボルのためのタイムスロットの第１の数とデータシンボルのためのタイムスロットの第２の数とを構成することと、
前記２つ以上の回線のうちの第２の回線に関する前記通常動作部分の後の、前記ＴＤＤフレーム内の沈黙シンボルのためのタイムスロットの第３の数とデータシンボルのためのタイムスロットの第４の数とを構成することと、ここにおいて、前記第１の数および前記第２の数のうちの一方または両方が、前記第３の数および前記第４の数とそれぞれ異なる、
配信点ユニット（ＤＰＵ）内の前記２つ以上の回線に関連するトランシーバに、タイムスロットの前記数と、沈黙シンボルのためのタイムスロットの前記第１の数と、データシンボルのためのタイムスロットの前記第２の数と、沈黙シンボルのためのタイムスロットの前記第３の数と、データシンボルのためのタイムスロットの前記第４の数とを送信することと、
を備える動作を実行するための命令を実行するように構成された１つまたは複数のプロセッサを備える中央コントローラを備える、システム。
【請求項８】
前記ＴＤＤフレームの前記通常動作部分の間に前記２つ以上の回線のすべてのベクトル化を実行するためのベクトル制御エンティティ（ＶＣＥ）をさらに備える請求項７に記載のシステム。
【請求項９】
前記ＶＣＥが、沈黙シンボルのためのタイムスロットの前記第１の数、データシンボルのためのタイムスロットの前記第２の数、沈黙シンボルのためのタイムスロットの前記第３の数、およびデータシンボルのためのタイムスロットの前記第４の数の構成に従って、前記ＴＤＤフレームの前記通常動作部分の後に、前記２つ以上の回線のうちのいくつかだけのベクトル化を実行する請求項８に記載のシステム。
【請求項１０】
構成することが、前記２つ以上の回線に結合されたダウンストリームのトランシーバに、タイムスロットの前記数と、沈黙シンボルのためのタイムスロットの前記第１の数と、データシンボルのためのタイムスロットの前記第２の数と、沈黙シンボルのためのタイムスロットの前記第３の数と、データシンボルのためのタイムスロットの前記第４の数とを送信することをさらに含む請求項８に記載のシステム。
【請求項１１】
前記ＤＰＵのトランシーバおよびダウンストリームのトランシーバが、Ｇ．ｆａｓｔに従ってＴＤＤ通信を実装する請求項８に記載のシステム。
【請求項１２】
ダウンストリームのトランシーバに、タイムスロットの前記数と、沈黙シンボルのためのタイムスロットの前記第１の数と、データシンボルのためのタイムスロットの前記第２の数と、沈黙シンボルのためのタイムスロットの前記第３の数と、データシンボルのためのタイムスロットの前記第４の数とを送信することが、Ｇ．ｆａｓｔによって規定されたロバスト管理チャネル（ＲＭＣ）を使用することを含む請求項１１に記載のシステム。
【手続補正２】
【補正対象書類名】明細書
【補正対象項目名】００４９
【補正方法】変更
【補正の内容】
【００４９】
[0051]本発明が図面を参照して上で詳細に説明されたが、これらは、当業者が本発明を実施することを可能にするために本発明の説明のための例として提供されている。とりわけ、上の図と例とは、本発明の範囲を単一の実施形態に限定するように意図されておらず、他の実施形態が、説明されるまたは示される要素の一部またはすべてを入れ替えることによって可能である。さらに、本発明の特定の要素が知られている構成要素を用いて部分的にまたは完全に実装され得る場合、本発明を理解するために必要であるそのような知られている構成要素の部分だけが説明され、そのような知られている構成要素の他の部分の詳細な説明は、本発明を曖昧にしないために省略される。ソフトウェアで実装されるものとして説明される実施形態は、それに限定されるべきでなく、本明細書において別途はっきりと述べられない限り、当業者に明らかであろうように、ハードウェアで、またはソフトウェアとハードウェアとの組合せで実装される実施形態を含む可能性があり、その逆である可能性がある。本明細書において、単数の構成要素を示す実施形態は、限定的であると考えられるべきでなく、むしろ、本発明は、本明細書において別途明確に述べられない限り、複数の同じ構成要素を含む他の実施形態を包含するように意図され、その逆であるように意図される。さらに、出願人は、そのように明確に示されない限り、本明細書または特許請求の範囲の任意の項が、付与されたまれなまたは特殊な意味であることを意図しない。さらに、本発明は、説明のために本明細書において参照される知られている構成要素の現在のおよび将来の知られている均等物を包含する。
以下に本願の出願当初の特許請求の範囲に記載された発明を付記する。
[Ｃ１]  時分割複信（ＴＤＤ）フレームにおいて２つ以上の回線のためのタイムスロットを管理するための方法であって、
前記２つ以上の回線のすべてに関して前記ＴＤＤフレームの通常動作部分のためのタイムスロットの数を構成することと、
前記２つ以上の回線のうちの第１の回線に関する前記通常動作部分の後の、前記ＴＤＤフレーム内の沈黙シンボルのためのタイムスロットの第１の数とデータシンボルのためのタイムスロットの第２の数とを構成することと、
前記２つ以上の回線のうちの第２の回線に関する前記通常動作部分の後の、前記ＴＤＤフレーム内の沈黙シンボルのためのタイムスロットの第３の数とデータシンボルのためのタイムスロットの第４の数とを構成することと、ここにおいて、前記第１の数および前記第２の数のうちの一方または両方が、前記第３の数および前記第４の数とそれぞれ異なる、を備える、方法。
[Ｃ２]  前記ＴＤＤフレームの前記通常動作部分の間に前記２つ以上の回線のすべてのベクトル化を実行することをさらに備えるＣ１に記載の方法。
[Ｃ３]  前記第１の数、前記第２の数、前記第３の数、および前記第４の数の構成に従って、前記ＴＤＤフレームの前記通常動作部分の後に、前記２つ以上の回線のうちのいくつかだけのベクトル化を実行することをさらに備えるＣ２に記載の方法。
[Ｃ４]  構成することが、配信点ユニット（ＤＰＵ）内の前記２つ以上の回線のすべてに関連するトランシーバに前記数と、前記第１の数と、前記第２の数と、前記第３の数と、前記第４の数とを送信することを含むＣ１に記載の方法。
[Ｃ５]  構成することが、前記２つ以上の回線に結合されたダウンストリームのトランシーバに前記数と、前記第１の数と、前記第２の数と、前記第３の数と、前記第４の数とを送信することをさらに含むＣ４に記載の方法。
[Ｃ６]  前記ＤＰＵのトランシーバおよびダウンストリームのトランシーバが、Ｇ．ｆａｓｔに従ってＴＤＤ通信を実装するＣ４に記載の方法。
[Ｃ７]  ダウンストリームのトランシーバに前記数と、前記第１の数と、前記第２の数と、前記第３の数と、前記第４の数とを送信することが、Ｇ．ｆａｓｔによって規定されたロバスト管理チャネル（ＲＭＣ）を使用することを含むＣ６に記載の方法。
[Ｃ８]  時分割複信（ＴＤＤ）フレームにおいて２つ以上の回線のためのタイムスロットを管理するためのシステムであって、
前記２つ以上の回線のすべてに関して前記ＴＤＤフレームの通常動作部分のためのタイムスロットの数を構成することと、
前記２つ以上の回線のうちの第１の回線に関する前記通常動作部分の後の、前記ＴＤＤフレーム内の沈黙シンボルのためのタイムスロットの第１の数とデータシンボルのためのタイムスロットの第２の数とを構成することと、
前記２つ以上の回線のうちの第２の回線に関する前記通常動作部分の後の、前記ＴＤＤフレーム内の沈黙シンボルのためのタイムスロットの第３の数とデータシンボルのためのタイムスロットの第４の数とを構成することと、ここにおいて、前記第１の数および前記第２の数のうちの一方または両方が、前記第３の数および前記第４の数とそれぞれ異なる、
を備える方法を実行するようにプログラミングされた１つまたは複数のプロセッサを備える中央コントローラを備える、システム。
[Ｃ９]  前記ＴＤＤフレームの前記通常動作部分の間に前記２つ以上の回線のすべてのベクトル化を実行するためのベクトル制御エンティティ（ＶＣＥ）をさらに備えるＣ８に記載のシステム。
[Ｃ１０]  前記ＶＣＥが、前記第１の数、前記第２の数、前記第３の数、および前記第４の数の構成に従って、前記ＴＤＤフレームの前記通常動作部分の後に、前記２つ以上の回線のうちのいくつかだけのベクトル化を実行するＣ９に記載のシステム。
[Ｃ１１]  前記２つ以上の回線に関連するＤＰＵトランシーバをさらに備え、構成することが、前記中央コントローラが前記ＤＰＵに前記数と、前記第１の数と、前記第２の数と、前記第３の数と、前記第４の数とを送信することを含むＣ８に記載のシステム。
[Ｃ１２]  構成することが、前記２つ以上の回線に結合されたダウンストリームのトランシーバに前記数と、前記第１の数と、前記第２の数と、前記第３の数と、前記第４の数とを送信することをさらに含むＣ１１に記載のシステム。
[Ｃ１３]  前記ＤＰＵのトランシーバおよびダウンストリームのトランシーバが、Ｇ．ｆａｓｔに従ってＴＤＤ通信を実装するＣ１１に記載のシステム。
[Ｃ１４]  ダウンストリームのトランシーバに前記数と、前記第１の数と、前記第２の数と、前記第３の数と、前記第４の数とを送信することが、Ｇ．ｆａｓｔによって規定されたロバスト管理チャネル（ＲＭＣ）を使用することを含むＣ１３に記載のシステム。